【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
複数の発光部を有する光源手段と、前記光源手段から発せられた複数の光束を副走査方向に異なる角度で偏向手段の同一の偏向面へ導光する第１の光学系と、前記偏向手段で偏向された複数の光束をそれぞれ異なる被走査面に結像させる第２の光学系と、を具備する光走査装置において、
前記第２の光学系には、前記偏向手段で偏向された複数の光束が副走査断面内において異なる領域を通過するように入射し、副走査断面内において、前記異なる領域に対してそれぞれ異なる関数で定義された形状の光学面を少なくとも１面含む結像光学素子を有し、
副走査断面内において、前記偏向手段へ入射する複数の光束の同一の偏向面上での反射点の位置が同一である場合、その関数で定義される前記結像光学素子の光学面の母線は、副走査断面内において、前記反射点を通り且つ前記偏向面に垂直な光学基準軸に対して光束が通過する側と同じ側にシフトし、
副走査断面内において、前記偏向手段へ入射する複数の光束の偏向面上での反射点の位置が異なる場合、その関数で定義される前記結像光学素子の光学面の母線は、副走査断面内において、前記位置が異なる複数の反射点のうち最も離間した２つの反射点の中点を通り且つ前記偏向面に垂直な前記光学基準軸に対して光束が通過する側と同じ側にシフトしていることを特徴とする光走査装置。
【請求項２】
前記第２の光学系には、前記偏向手段で偏向された複数の光束が副走査断面内において異なる領域を通過するように入射し、副走査断面内において、前記異なる領域に対してそれぞれ異なる関数で定義された形状の光学面を少なくとも１面含む結像光学素子を有し、
副走査断面内において、前記偏向手段へ入射する複数の光束の同一の偏向面上での反射点の位置が同一である場合、その関数で定義される前記結像光学素子の光学面の母線は、副走査断面内において、前記反射点を通り且つ前記偏向面に垂直な光学基準軸に対して光束が通過する側と同じ側にシフトだけを行い、
副走査断面内において、前記偏向手段へ入射する複数の光束の偏向面上での反射点の位置が異なる場合、その関数で定義される前記結像光学素子の光学面の母線は、副走査断面内において、前記位置が異なる複数の反射点のうち最も離間した２つの反射点の中点を通り且つ前記偏向面に垂直な前記光学基準軸に対して光束が通過する側と同じ側にシフトだけを行っていることを特徴とする請求項１に記載の光走査装置。
【請求項３】
前記母線は、副走査断面内において、複数の光束が前記偏向手段の偏向面に斜め入射することによって生ずる波面収差のねじれを減少するようにシフトしていることを特徴とする請求項１又は２に記載の光走査装置。
【請求項４】
前記第２の光学系の副走査断面内の結像倍率をβｓとするとき
１．０＜｜βｓ｜＜３．５
なる条件を満足することを特徴とする請求項１、２又は３に記載の光走査装置。
【請求項５】
前記関数で定義される母線は、副走査方向に湾曲していることを特徴とする請求項１乃至４の何れか１項に記載の光走査装置。
【請求項６】
前記第２の光学系は、単一の結像光学素子より構成されていることを特徴とする請求項１乃至５の何れか１項に記載の光走査装置。
【請求項７】
前記第２の光学系は、一方の光学面が前記偏向手段で偏向された複数の光束が副走査断面内において、異なる領域を通過するように入射し、前記異なる領域はそれぞれ異なる関数で定義された形状より成り、他方の光学面が平面より成る結像光学素子から成ることを特徴とする請求項１乃至６の何れか１項に記載の光走査装置。
【請求項８】
前記第２の光学系は、複数の結像光学素子から成り、これらの結像光学素子のうち、前記結像光学素子は、最も被走査面側に設けられていることを特徴とする請求項１乃至５の何れか１項に記載の光走査装置。
【請求項９】
副走査断面内において、前記異なる関数で定義される光学面は、他の光学面との境界領域が滑らかに接続されていることを特徴とする請求項１乃至８の何れか１項に記載の光走査装置。
【請求項１０】
前記境界領域における形状は、副走査断面内において、１回微分値が連続であることを特徴とする請求項９に記載の光走査装置。
【請求項１１】
前記境界領域は、スプライン関数で接続されていることを特徴とする請求項９に記載の光走査装置。
【請求項１２】
副走査断面内において、前記異なる領域における各光学面の子線面頂点は、直線で接続されていることを特徴とする請求項９に記載の光走査装置。
【請求項１３】
請求項１乃至１２の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項１４】
請求項１乃至１２の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１８
【補正方法】変更
【補正の内容】
【００１８】
請求項１の発明の光走査装置は、複数の発光部を有する光源手段と、前記光源手段から発せられた複数の光束を副走査方向に異なる角度で偏向手段の同一の偏向面へ導光する第１の光学系と、前記偏向手段で偏向された複数の光束をそれぞれ異なる被走査面に結像させる第２の光学系と、を具備する光走査装置において、
前記第２の光学系には、前記偏向手段で偏向された複数の光束が副走査断面内において異なる領域を通過するように入射し、副走査断面内において、前記異なる領域に対してそれぞれ異なる関数で定義された形状の光学面を少なくとも１面含む結像光学素子を有し、
副走査断面内において、前記偏向手段へ入射する複数の光束の同一の偏向面上での反射点の位置が同一である場合、その関数で定義される前記結像光学素子の光学面の母線は、副走査断面内において、前記反射点を通り且つ前記偏向面に垂直な光学基準軸に対して光束が通過する側と同じ側にシフトし、
副走査断面内において、前記偏向手段へ入射する複数の光束の偏向面上での反射点の位置が異なる場合、その関数で定義される前記結像光学素子の光学面の母線は、副走査断面内において、前記位置が異なる複数の反射点のうち最も離間した２つの反射点の中点を通り且つ前記偏向面に垂直な前記光学基準軸に対して光束が通過する側と同じ側にシフトしていることを特徴としている。
【手続補正３】
【補正対象書類名】明細書
【補正対象項目名】００１９
【補正方法】変更
【補正の内容】
【００１９】
請求項２の発明は請求項１の発明において、前記第２の光学系には、前記偏向手段で偏向された複数の光束が副走査断面内において異なる領域を通過するように入射し、副走査断面内において、前記異なる領域に対してそれぞれ異なる関数で定義された形状の光学面を少なくとも１面含む結像光学素子を有し、
副走査断面内において、前記偏向手段へ入射する複数の光束の同一の偏向面上での反射点の位置が同一である場合、その関数で定義される前記結像光学素子の光学面の母線は、副走査断面内において、前記反射点を通り且つ前記偏向面に垂直な光学基準軸に対して光束が通過する側と同じ側にシフトだけを行い、
副走査断面内において、前記偏向手段へ入射する複数の光束の偏向面上での反射点の位置が異なる場合、その関数で定義される前記結像光学素子の光学面の母線は、副走査断面内において、前記位置が異なる複数の反射点のうち最も離間した２つの反射点の中点を通り且つ前記偏向面に垂直な前記光学基準軸に対して光束が通過する側と同じ側にシフトだけを行っていることを特徴としている。
【手続補正４】
【補正対象書類名】明細書
【補正対象項目名】００２０
【補正方法】変更
【補正の内容】
【００２０】
請求項３の発明は請求項１又は２の発明において、前記母線は、副走査断面内において、複数の光束が前記偏向手段の偏向面に斜め入射することによって生ずる波面収差のねじれを減少するようにシフトしていることを特徴としている。
【手続補正５】
【補正対象書類名】明細書
【補正対象項目名】００２１
【補正方法】変更
【補正の内容】
【００２１】
請求項４の発明は請求項１、２又は３の発明において、前記第２の光学系の副走査断面内の結像倍率をβｓとするとき
１．０＜｜βｓ｜＜３．５
なる条件を満足することを特徴としている。
【手続補正６】
【補正対象書類名】明細書
【補正対象項目名】００２２
【補正方法】変更
【補正の内容】
【００２２】
請求項５の発明は請求項１乃至４の何れか１項の発明において、前記関数で定義される母線は、副走査方向に湾曲していることを特徴としている。
【手続補正７】
【補正対象書類名】明細書
【補正対象項目名】００２３
【補正方法】変更
【補正の内容】
【００２３】
請求項６の発明は請求項１乃至５の何れか１項の発明において、前記第２の光学系は、単一の結像光学素子より構成されていることを特徴としている。
【手続補正８】
【補正対象書類名】明細書
【補正対象項目名】００２４
【補正方法】変更
【補正の内容】
【００２４】
請求項７の発明は請求項１乃至６の何れか１項の発明において、前記第２の光学系は、一方の光学面が前記偏向手段で偏向された複数の光束が副走査断面内において、異なる領域を通過するように入射し、前記異なる領域はそれぞれ異なる関数で定義された形状より成り、他方の光学面が平面より成る結像光学素子から成ることを特徴としている。
【手続補正９】
【補正対象書類名】明細書
【補正対象項目名】００２５
【補正方法】変更
【補正の内容】
【００２５】
請求項８の発明は請求項１乃至５の何れか１項の発明において、前記第２の光学系は、複数の結像光学素子から成り、これらの結像光学素子のうち、前記結像光学素子は、最も被走査面側に設けられていることを特徴としている。
【手続補正１０】
【補正対象書類名】明細書
【補正対象項目名】００２６
【補正方法】変更
【補正の内容】
【００２６】
請求項９の発明は請求項１乃至８の何れか１項の発明において、副走査断面内において、前記異なる関数で定義される光学面は、他の光学面との境界領域が滑らかに接続されていることを特徴している。
【手続補正１１】
【補正対象書類名】明細書
【補正対象項目名】００２７
【補正方法】変更
【補正の内容】
【００２７】
請求項１０の発明は請求項９の発明において、前記境界領域における形状は、副走査断面内において、１回微分値が連続であることを特徴としている。
【手続補正１２】
【補正対象書類名】明細書
【補正対象項目名】００２８
【補正方法】変更
【補正の内容】
【００２８】
請求項１１の発明は請求項９の発明において、前記境界領域は、スプライン関数で接続されていることを特徴としている。
【手続補正１３】
【補正対象書類名】明細書
【補正対象項目名】００２９
【補正方法】変更
【補正の内容】
【００２９】
請求項１２の発明は請求項９の発明において、副走査断面内において、前記異なる領域における各光学面の子線面頂点は、直線で接続されていることを特徴としている。
【手続補正１４】
【補正対象書類名】明細書
【補正対象項目名】００３０
【補正方法】変更
【補正の内容】
【００３０】
請求項１３の発明の画像形成装置は、請求項１乃至１２の何れか１項に記載の光走査装置と、前記被走査面に配置された感光体と、前記光走査装置で走査された光ビームによって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正１５】
【補正対象書類名】明細書
【補正対象項目名】００３１
【補正方法】変更
【補正の内容】
【００３１】
請求項１４の発明の画像形成装置は、請求項１乃至１２の何れか１項に記載の光走査装置と、外部機器から入力したコードデータを画像信号に変換して前記光走査装置に入力せしめるプリンタコントローラとを有していることを特徴としている。
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００４８
【補正方法】変更
【補正の内容】
【００４８】
ＬＢは集光機能とｆθ特性とを有する結像光学系（第２の光学系）であり、プラスチック材料より成る単一の結像レンズ（結像光学素子）(ｆθレンズ)６より成っている。
【手続補正１９】
【補正対象書類名】明細書
【補正対象項目名】００５１
【補正方法】変更
【補正の内容】
【００５１】
本実施例では光偏向器５で偏向された２つの光束が副走査断面内において結像レンズ６の異なる領域を通過するように構成している。結像レンズ６はこの異なる領域に対して副走査断面内において、それぞれ異なる関数で定義された形状の光学面を少なくとも１面含んでいる。
【手続補正２０】
【補正対象書類名】明細書
【補正対象項目名】０１５０
【補正方法】変更
【補正の内容】
【０１５０】
本実施例では結像光学系ＬＢの被走査面側の第２の結像レンズ６２の出射面Ｒ２を前述の実施例1と同様に異なる領域に対して副走査断面内において、それぞれ異なる関数で定義された形状より形成している。
【手続補正２１】
【補正対象書類名】明細書
【補正対象項目名】０１６１
【補正方法】変更
【補正の内容】
【０１６１】
図１７において第２の結像レンズ６２の入射面（他方の光学面）Ｒ１はノンパワーな平面より成り、出射面（一方の光学面）Ｒ２は副走査断面内において正（凸）のパワーを有し、光学基準軸COに対し図面上、上側領域Ｏと下側領域Ｕの２つの領域に分割されている。